(57)【特許請求の範囲】
【請求項１】
上流側の光ケーブル心線と下流側の光ケーブル心線とを接続するための光ケーブル接続用クロージャであって、
前記クロージャ本体内には、
前記上流側光ケーブル心線とドロップケーブルから引き出された下流側のドロップ用心線とを接続するためのドロップトレイと、
前記上流側光ケーブル心線と分岐ケーブルから引き出された下流側の分岐ケーブル用心線とを接続するための分岐ケーブル用トレイと、
を備えたスプリッタモジュールが設けられ、
前記スプリッタモジュールが前記クロージャ本体に設けられた係止部に回動自在に枢着されて複数積層されていることを特徴とする光ケーブル接続用クロージャ。
【請求項２】
前記ドロップトレイには、ドロップケーブルを把持するドロップケーブル把持部材が設けられていることを特徴とする請求項１に記載の光ケーブル接続用クロージャ。
【請求項３】
前記ドロップケーブル把持部材は、一方の面にドロップケーブルを把持する溝が形成された把持部と、該把持部を開閉自在に覆う蓋部とからなり、
前記蓋部は、前記把持部に対向する面にリブが形成されており、
前記ドロップケーブルを前記把持部の溝に嵌合させた状態で前記蓋部により前記把持部を覆うことで、前記リブが前記ドロップケーブルを押圧し、該ドロップケーブルを前記把持部に固定させる構成となっていることを特徴とする請求項２に記載の光ケーブル接続用クロージャ。
【請求項４】
前記クロージャ本体内には、該クロージャ内で分岐せず通過する通過心線と、切断された上流側光ケーブル心線が下流側の光ケーブル心線と接続せずに保留された状態の保留心線とを収納する通過保留トレイが前記クロージャに設けられた係止部に回動自在に枢着されていることを特徴とする請求項１〜３のいずれか１項に記載の光ケーブル接続用クロージャ。
【請求項５】
前記クロージャ本体内には、浸水状態を検知する浸水検知モジュールと、該浸水検知モジュールに用いられる光ケーブル心線を収納する保守用心線トレイが設けられていることを特徴とする請求項１〜４のいずれか１項に記載の光ケーブル接続用クロージャ。
【発明の詳細な説明】
【技術分野】
【０００１】
本発明は、ビル等の建物内特に地下部分に複数の光ケーブル心線を内包した光通信ケーブルを敷設して分配する際に用いられる光ケーブル接続用クロージャに関するものである。
【背景技術】
【０００２】
一般に、光ケーブル等のケーブルの接続に際しては、コネクタ等を用いてケーブル心線の接続を行いコネクタ等をクロージャで保護する。このようなクロージャは心線接続部に容易にアクセスでき、作業性が良いことが望まれる。
【０００３】
例えば、特許文献１の光ケーブル接続用クロージャのように、クロージャ内に複数のスプリッタトレイが積層されていて、個々のスプリッタトレイが作業面側へスライドすることによって光ケーブル心線の接続作業を行う構造となっている。また、それぞれのスプリッタトレイ内に接続部が内装されていて、トレイごとに接続作業と心線余長の収納が可能となっているので識別性が良く容易に心線の振り分けを行える。
【先行技術文献】
【特許文献】
【０００４】
【特許文献１】特開２００７−１４７８７６号公報
【発明の概要】
【発明が解決しようとする課題】
【０００５】
しかしながら、特許文献１の発明では、スプリッタトレイを引き出さなくては作業ができないため、トレイを引き出すための光ケーブル心線余長部分を長くする必要があり、当然のことながらトレイ引き出しの際には光ケーブル心線の断線に細心の注意が必要であり、作業の煩雑さを助長してしまう可能性があった。また、トレイを引き出して作業するためのスペースの確保も必要である。
【０００６】
さらに、接続部がスプリッタトレイ内部に収納されているため、接続状態の確認作業ではいちいちトレイを引き出さなくてはならず、非常に不便で作業工数もかかってしまうことがあった。
【０００７】
本発明は上述のような課題に鑑みなされたものであり、光ケーブル心線の配線形態が整理し易く、ドロップ心線との接続部と心線余長を効率的に収納し、施工及び保守点検作業が容易となり、追加の分配作業でも非常に簡便に作業を執り行える光ケーブル接続用クロージャを提供することを目的とするものである。
【課題を解決するための手段】
【０００８】
本発明は、上記課題を解決したものであって、請求項１の発明は、上流側の光ケーブル心線と下流側の光ケーブル心線とを接続するための光ケーブル接続用クロージャであって、前記クロージャ本体内には、前記上流側光ケーブル心線とドロップケーブルから引き出された下流側のドロップ用心線とを接続するためのドロップトレイと、前記上流側光ケーブル心線と分岐ケーブルから引き出された下流側の分岐ケーブル用心線とを接続するための分岐ケーブル用トレイと、を備えたスプリッタモジュールが設けられ、前記スプリッタモジュールが前記クロージャ本体に設けられた係止部に回動自在に枢着されて複数積層されていることを特徴とする光ケーブル接続用クロージャである。
【０００９】
また、請求項２の発明は、前記ドロップトレイには、ドロップケーブルを把持するドロップケーブル把持部材が設けられていることを特徴とする請求項１に記載の光ケーブル接続用クロージャである。
【００１０】
また、請求項３の発明は、前記ドロップケーブル把持部材は、一方の面にドロップケーブルを把持する溝が形成された把持部と、該把持部を開閉自在に覆う蓋部とからなり、前記蓋部は、前記把持部に対向する面にリブが形成されており、前記ドロップケーブルを前記把持部の溝に嵌合させた状態で前記蓋部により前記把持部を覆うことで、前記リブが前記ドロップケーブルを押圧し、該ドロップケーブルを前記把持部に固定させる構成となっていることを特徴とする請求項２に記載の光ケーブル接続用クロージャである。
【００１１】
また、請求項４の発明は、前記クロージャ本体内には、該クロージャ内で分岐せず通過する通過心線と、切断された上流側光ケーブル心線が下流側の光ケーブル心線と接続せずに保留された状態の保留心線とを収納する通過保留トレイが前記クロージャに設けられた係止部に回動自在に枢着されていることを特徴とする請求項１〜３のいずれか１項に記載の光ケーブル接続用クロージャである。
【００１２】
また、請求項５の発明は、前記クロージャ本体内には、浸水状態を検知する浸水検知モジュールと、該浸水検知モジュールに用いられる光ケーブル心線を収納する保守用心線トレイが設けられていることを特徴とする請求項１〜４のいずれか１項に記載の光ケーブル接続用クロージャである。
【発明の効果】
【００１３】
本発明の光ケーブル接続用クロージャは、スプリッタモジュールがクロージャに設けられた係止部に回動自在に取り付けられているので、クロージャ内での心線の引き回し作業では、作業したいトレイを有するスプリッタモジュールと、その作業面に対向する他のスプリッタモジュールをお互い反対方向へ回動させれば作業スペースを確保することができ、作業の度にスプリッタモジュールを引き出す必要が無く、また、スプリッタモジュール内の各トレイの確認作業でも引き出す必要がないので非常に簡単に作業を行うことができる。
【００１４】
さらに、従来のクロージャではスプリッタモジュールを引き出すためモジュールを外に露出される光ケーブル余長部分を長くする必要があり、当然のことながらモジュール引き出しの際には光ケーブルの断線に細心の注意が必要であったが、本発明のクロージャはモジュールを回動するだけでよいので、心線の露出部分が非常に少なく、心線の破断などの可能性が非常に低くなる利点がある。
【００１５】
また、ドロップトレイにドロップケーブル把持部材が設けられていて、ドロップする心線がクロージャ内に露出する部分がほとんど無くなるため、心線の保護が確実となる利点がある。もちろん、保守作業や、新たに分岐作業を行う場合でも、心線の取り回しが非常に簡便となる。
【００１６】
さらに、ドロップケーブル把持部材に形成された溝と、蓋部に形成されたリブによってドロップケーブルを把持する構造となっていて、ドロップケーブルを確実に固定することができる。特に、ドロップケーブルを溝に嵌合させるだけでなく、蓋部のリブによってケーブルを押圧するのでより強固に把持することができる。
【００１７】
また、請求項４の発明では、通過心線と、保留心線を収納する通過保留トレイが設けられているので、クロージャ内で心線が散乱することもなく、また後にドロップケーブルや分岐ケーブルに接続する必要が出た場合、トレイ内の保留心線を取り出し接続するだけでよいため、作業が簡便に行える。
【００１８】
また、請求項５の発明では、クロージャ内に浸水検知モジュールが設けられているので、シール部材の劣化による浸水や、クロージャの損傷による浸水が起こっても検知モジュールによって検知することができるので、補修などの作業を速やかに行うことができる。さらに、浸水検知モジュールに使用される光ケーブル心線を収納する保守用心線トレイが設けられているので、心線接続作業と区別して保守点検を行える利点がある。
【図面の簡単な説明】
【００１９】
【図１】本発明の光ケーブル接続用クロージャの一実施形態のうちカバー部材を取り外した状態の平面図である。
【図２】図１の光ケーブル接続用クロージャのＡ−Ａ線断面を示した図である。
【図３】本発明のスプリッタモジュールを示した図であり、（ａ）はその背面図、（ｂ）はその左側面図である。
【図４】本実施形態におけるドロップトレイの図である。
【図５】本実施形態におけるドロップケーブル把持部材の図である。
【図６】本実施形態における分岐ケーブル用トレイの図である。
【図７】本実施形態における通過保留トレイの図である。
【図８】本実施形態における保守用心線トレイの図である。
【発明を実施するための形態】
【００２０】
以下、本発明に係る光ケーブル接続用クロージャについて、図面を参照して説明する。先ず、図１及び図２を参照し、本実施形態の光ケーブル接続用クロージャ１０全体について説明する。なお、本実施例では、導入される上流側主光ケーブルをＡ１、導出される下流側主光ケーブルをＡ２、上流側光ケーブル心線をＢ、ドロップ用心線をＣ、分岐ケーブル用心線をＤ、通過心線をＥ、保留心線をＦ、保守用心線をＧ、ドロップケーブルをＨ、分岐ケーブルをＪとする。
【００２１】
図１は本発明の光ケーブル接続用クロージャ１０の一実施形態のうち図示しないカバー部材を取り外した状態の平面図である。また、図２は図１の平面図のＡ−Ａ断面線での図である。
【００２２】
光ケーブル接続用クロージャ１０のクロージャ本体２０は横長の箱形状となっていて、内部に複数のスプリッタモジュール３０が短手方向に積層されている。また、同様に通過保留トレイ６０及び保守用心線トレイ７０が積層されている。
【００２３】
スプリッタモジュール３０は、１枚のドロップトレイ４０と、本実施例では４枚の分岐ケーブル用トレイ５０で構成されている。分岐ケーブル用トレイ５０は後述するトレイ係止部によってドロップトレイ４０に回動可能に取り付けられている。
【００２４】
また、スプリッタモジュール３０とクロージャ本体２０との取り付け構造は、図２のように、クロージャ本体２０に設けられたトレイベース２１に孔状の本体係止部２２が複数設けられていて、スプリッタモジュール３０に設けられた軸状のモジュール係止部４１が本体係止部２２に枢着されることによって回動可能に取り付けられている。このため、クロージャ内での心線の引き回し作業では、作業したいトレイを有するスプリッタモジュール３０と、その作業面に対向する他のスプリッタモジュール３０をお互い反対方向へ回動させれば作業スペースを確保することができ、作業の度にスプリッタモジュール３０を引き出す必要が無く、また、スプリッタモジュール３０内の各トレイの確認作業でも引き出す必要がないので非常に簡単に作業を行うことができる。
【００２５】
次に図１のケーブルの配線状態を説明する。
上流側主光ケーブルＡ１は、図１によるとクロージャ本体２０左側面から挿入固定される。上流側主光ケーブルＡ１から引き出された分岐予定の上流側光ケーブル心線Ｂは複数本ずつまとめられて、それぞれのスプリッタモジュール３０に配線されていく。
【００２６】
ドロップケーブルＨは直接スプリッタモジュール３０のドロップトレイ４０まで引き回されて把持されて、ドロップトレイ４０内部でドロップケーブルＨからドロップ用心線Ｄが引き出されて上流側光ケーブル心線Ｂと接続される。ドロップケーブルＨが直接ドロップトレイ４０まで引き回されているので、ドロップ用心線Ｄがクロージャ内で露出することが無く、分岐作業や保守作業時に使用中のドロップ用心線Ｄを誤って切断してしまう可能性が非常に低いので、作業の効率化に貢献できる。なお、内部の接続状態は後述の図５の説明で述べる。
【００２７】
また、装置右側からは分岐ケーブルＪが挿入固定される。分岐ケーブルＪから引き出された分岐ケーブル用心線Ｄは複数本ずつまとめられて、それぞれのスプリッタモジュール３０の分岐ケーブル用トレイ５０に配線されて内部で接続される。内部の接続状態は後述の図６の説明で述べる。
【００２８】
また、通過心線Ｅと、保留心線Ｆは通過保留トレイ６０に配線され、通過心線Ｆは通過保留トレイ６０内部で余長収納したのち、図１のクロージャ本体２０右側面から挿入固定された下流側主光ケーブルＡ２へと戻される。保留心線Ｆは心線全てを通過保留トレイ６０内に収納されている。内部の接続状態は後述の図７の説明で述べる。
【００２９】
次に、図３を参照して本発明の光ケーブル接続用クロージャの構成部材であるスプリッタモジュール３０の説明をする。スプリッタモジュール３０は、ドロップケーブルＨへ分岐する心線を収納したドロップトレイ４０と、分岐ケーブルＪへ分岐する心線を収納した分岐ケーブル用トレイ５０から構成されている。
本実施例では、ドロップトレイ４０が１枚に、分岐ケーブル用トレイ５０が４枚の計５枚トレイから成り立っている。分岐ケーブル用トレイ５０はトレイ下部に設けられた係止部５１を、ドロップトレイ４０の下部に設けられたトレイ係止軸４２に回動可能に取り付けられている。これによって、トレイを回動するだけで作業面を上方へ露出することができるので、スプリッタモジュール３０を取り外す必要が無く作業が簡便となる。
【００３０】
次に、図４及び図５を参照してスプリッタモジュール３０の構成部材のひとつであるドロップトレイ４０及びドロップケーブル把持部材４６の説明をする。
ドロップトレイ４０は図４の正面図のように、トレイの両側にドロップケーブルＨを把持するドロップケーブル把持部材４６が設けられている。これによって１つのモジュールでより多数のドロップケーブルＨの処理をすることが可能となっている。また、クロージャ１０の敷設場所によっては一方向のみにしかドロップケーブルＨを敷設することができない場合にも両側にドロップケーブル把持部材５０を設けることができるので対応可能となる利点もある。なお、図４では配線状態を示すためにドロップケーブル把持部材４６の蓋部４６ｃを取り外した状態となっている。
【００３１】
ドロップトレイ４０下部には、軸状のモジュール係止部４１が一対設けられていて、このモジュール係止部４１によってスプリッタモジュール３０がクロージャ内に回動可能に枢着することが可能となっている。また、分岐ケーブル用トレイ５０を回動可能に枢着するためのトレイ係止軸が左右４箇所ずつ対になるように設けられている。本実施例でのスプリッタモジュール３０では４枚の分岐ケーブル用トレイ５０を装備しているため、それぞれを回動可能に取り付けるためのものである。
【００３２】
ドロップトレイ４０両端に設けられたドロップケーブル把持部材４６は、図５の側面図のように、ドロップケーブルＨを把持する溝４６ｂが形成された把持部４６ａと、リブ４６ｄが設けられた蓋部４６ｃが蝶番４６ｅによって開閉自在に連結されており、
ドロップケーブルＨを把持部４６ａの溝４６ｂに嵌合させた状態で蓋部４６ｃを閉めると、リブ４６ｄがドロップケーブルＨの上面を押圧しながら閉まるので確実に固定することができる。これによって、ドロップケーブルＨの敷設作業や保守作業中にドロップケーブルＨが引張られたりしても、ドロップトレイ４０から引き抜かれてしまう心配が無く、つまり内部のドロップ用心線Ｃを確実に保護することができる利点がある。
【００３３】
また、ドロップトレイ４０には融着ホルダ４３が取り付けられていて、融着スリーブ４４を介して上流側光ケーブル心線Ｂとドロップ用心線Ｃを接続する構成となっている。なお、接続は融着スリーブ４４による接続に限らずその他の方法で接続しても良い。
【００３４】
ドロップトレイ４０内部での心線の配線状態は、開口部４５ｂ又は開口部４５ｃから心線を導入しても良いが、本実施例の図４のように、分岐ケーブル用トレイ５０に収納されている上流側光ケーブル心線Ｂの一部を開口部４５ａより導入して接続する方法でも良い。本実施例の配線方法では、心線余長がドロップトレイ４０内に纏められていないので、多数の融着作業が簡便に行える利点がある。また、舌片部４７が設けられていて、心線を掛け留めることができるので、配線作業が簡便であるだけでなく、蓋が不要となる。
【００３５】
次に、図６を参照してスプリッタモジュール３０の構成部材のひとつである分岐ケーブル用トレイ５０の説明をする。分岐ケーブル用トレイ５０は下部にドロップトレイ３０と回動可能に枢着するための係止部５１が一対設けられている。なお、分岐ケーブル用トレイ５０は積層されてそれぞれの係止部がドロップトレイと枢着されるので、図３のように対応する係止部５１とトレイ係止軸４１がずれて設けられている。
また、下部両端には、上流側光ケーブル心線Ｂを導入するための開口部５２と、分岐ケーブルＪから引き出された分岐ケーブル用心線Ｄを導入する開口部５３が設けられている。
また、心線を接続するためのスプリッタ５４が設けられているとともに、融着スリーブ５５を取り付けられるような構造となっていても良い。
【００３６】
分岐ケーブル用トレイ５０内部での心線の配線状態は、開口部５２から導入された上流側光ケーブル心線Ｂを舌片部５６で掛け留めながら余長心線を収納し、スプリッタ５４に接続する。また反対側の開口部５３からは分岐ケーブル用心線Ｄが導入され、同様に舌片部５６で掛け留めながら余長心線を収納し、スプリッタ５４に接続する。
【００３７】
導入された上流側光ケーブル心線Ｂの一部はドロップトレイ３０へ配線されてドロップ用心線Ｃと接続される。
【００３８】
また、一部の上流側光ケーブル心線Ｂを融着スリーブ５５によってファンアウトし、積層されている他の分岐ケーブル用トレイ５０へ配線することもできる。
【００３９】
次に、図７を参照して通過保留トレイ６０の説明をする。通過保留トレイ６０は下部にクロージャ本体２０の本体係止部２２と回動可能に枢着するための係止部６１が一対設けられている。また、下部両端には、通過心線Ｅ及び保留心線Ｆを導入するための開口部６２と、通過心線Ｅを導出する開口部６３が設けられている。保留心線Ｆはトレイ内部に収納されるため、開口部６３が導出されることはない。通過保留トレイ６０は本実施例では２枚取り付けられているが、心線の数量によって１枚だけ取り付けてもよいし、３枚以上取り付ける構造としてもよい。
【００４０】
次に、図８を参照して保守用心線トレイ７０の説明をする。保守用心線トレイ７０は下部にクロージャ本体２０と枢着するための係止部７１が一対設けられている。保守用心線トレイ７０は回動可能に枢着されていても良いし、単に脱着可能に取り付けられていても良い。
また、下部両端には、保守用心線Ｇを導出入するための開口部７２及び７３が設けられている。保守用心線Ｇは浸水検知モジュール７４に接続されていて、装置内が浸水した場合、保守用心線Ｇを通じて外部にアラームを発信することができる構成となっている。
【符号の説明】
【００４１】
Ａ１  上流側主光ケーブル
Ａ２  下流側主光ケーブル
Ｂ  上流側光ケーブル心線
Ｃ  ドロップ用心線
Ｄ  分岐ケーブル用心線
Ｅ  通過心線
Ｆ  保留心線
Ｇ  保守用心線
Ｈ  ドロップケーブル
Ｊ  分岐ケーブル
１０  光ケーブル接続用クロージャ
２０  クロージャ本体
２１  トレイベース
２２  本体係止部２２
３０  スプリッタモジュール
４０  ドロップトレイ
４１  モジュール係止部
４２  トレイ係止軸
４３  融着ホルダ
４４  融着スリーブ
４５ａ〜４５ｃ  開口部
４６  ドロップケーブル把持部材
４６ａ  把持部
４６ｂ  溝
４６ｃ  蓋部
４６ｄ  リブ
４７  舌片部
５０  分岐ケーブル用トレイ
５１  係止部
５２、５３  開口部
５４  スプリッタ
５５  融着スリーブ
５６  舌片部
５７  ファンアウト心線
６０  通過保留トレイ
６１  係止部
６２、６３  開口部
７０  保守用心線トレイ
７１  係止部
７２、７３  開口部
７４  浸水検知モジュール
【図１】
0005774454.tif 000002
【図２】
0005774454.tif 000003
【図３】
0005774454.tif 000004
【図４】
0005774454.tif 000005
【図５】
0005774454.tif 000006
【図６】
0005774454.tif 000007
【図７】
0005774454.tif 000008
【図８】
0005774454.tif 000009